(57)【特許請求の範囲】
【請求項１】
被乾燥物を常温乾燥方式により乾燥するための箱式システム、回転型システム、及び自動移送型システムに適用可能なハイブリッド乾燥システムであって、
前記被乾燥物がある乾燥室と、
周囲の熱を奪って冷媒を蒸発させる蒸発器と、
前記蒸発器で吸入した冷媒を圧縮する圧縮機と、
前記圧縮機で圧縮された冷媒の供給を受けて凝縮させる凝縮機と、
前記凝縮機を通過した冷媒を膨脹させる膨脹弁と、
前記蒸発器と前記凝縮機との間に設けられ、前記乾燥室で回収された換気が前記蒸発器を通過して熱交換された冷風乾燥空気を乾燥空気に作るデシカント乾燥機吸着部と、
前記凝縮機の凝縮熱により加熱された再生空気が再生熱源として供給される脱着部を有するデシカント乾燥機と、
前記デシカント乾燥機で作った前記乾燥空気を前記乾燥室に送風する給気ファンと、
前記給気ファンに送風した乾燥空気を前記乾燥室の内に供給する給気ラインと、
前記乾燥室換気と前記乾燥空気とを混合して前記乾燥室の内の前記被乾燥物の乾燥のために循環する循環ファンと、
前記デシカント乾燥機を通過した前記再生空気を排気側に送風する再生ファンと、
前記外気と再生ファンにより送風される再生排気を熱交換して排気熱を回収する熱交換機と、
前記外気温度の低い場合には、前記外気が零度以上の温度になるように、前記熱交換機を通過した前記再生排気を前記外気が導入される前記熱交換機の上流側にバイパスするバイパスダンパと、
前記乾燥室の湿度及び温度によって、冷風乾燥とデシカント乾燥を同時に制御する制御部と、を含み、
前記システムは、冷凍サイクル、乾燥サイクル、乾燥室循環サイクル、及び再生サイクルにより運転され、
前記冷凍サイクルは、冷媒が前記蒸発器を通じて蒸発し、前記蒸発器を通じて蒸発した冷媒が前記圧縮機で吸入されて圧縮され、前記圧縮機で圧縮された冷媒が前記凝縮機を通じて凝縮され、前記凝縮機を通過した高圧冷媒液が前記膨脹弁を通じて低圧冷媒液に膨脹されることを含み、
前記乾燥サイクルは、前記乾燥室で吸入した前記乾燥室換気を前記蒸発器を通じて冷風乾燥し、前記蒸発器を通じて熱交換された前記冷風乾燥空気を前記デシカント乾燥機の前記吸着部を通じて乾燥空気に作り、前記乾燥空気を前記給気ファンの送風力により前記給気ラインを通じて前記乾燥室の内に供給することを含み、
前記乾燥循環サイクルは、前記循環ファンにより前記乾燥室の前記換気と送風された前記乾燥空気とが混合して循環し、前記制御部により前記乾燥室の温度及び湿度によって前記冷風乾燥と前記デシカント乾燥とが同時運転することを含み、
前記再生サイクルは、前記熱交換機で前記外気が導入されて前記再生排気熱により熱交換され、前記熱交換された再生空気を前記凝縮機の凝縮熱に熱交換して前記再生空気が加熱され、前記加熱された再生空気が前記デシカント乾燥機の前記脱着部を通過し、前記脱着部を通過した前記再生空気が前記再生ファンにより前記熱交換機に送風されることを含み、
前記乾燥室の内部を冷蔵室に用いる時、前記冷凍サイクル及び前記再生サイクルが運転され、前記デシカント乾燥機が停止し、
前記乾燥室循環サイクルは風量調整運転により制御されることを特徴とする、ハイブリッド乾燥システム。 
【請求項２】
前記乾燥室の空気を循環させる循環ファンと、
前記被乾燥物に対し、天然乾燥下で乾燥を促進または被乾燥物の物理的特性及び化学的特性を向上させるように、前記乾燥室の内に設けられた太陽光照明灯を更に含むことを特徴とする、請求項１に記載のハイブリッド乾燥システム。
【請求項３】
前記熱交換機の上流側に空気フィルタが追加で含まれていることを特徴とする、請求項１に記載のハイブリッド乾燥システム。
【発明の詳細な説明】
【技術分野】
【０００１】
本発明は冷風乾燥をしながら得られる凝縮機の凝縮熱を用いたデシカント乾燥を統合したハイブリッド乾燥システム及びハイブリッド乾燥システムの制御方法に関し、より詳しくは、冷風乾燥機とデシカント乾燥機をハイブリッド化して従来の冷風乾燥機に比べて２倍以上であり、複合式（冷風＋デシカント：個別同時運転）乾燥に比べて１．５倍以上の乾燥効率（除湿量／消費動力）を増加させながら乾燥時間を短縮して運転費を大幅に低減するようにしたハイブリッド乾燥システム及びハイブリッド乾燥システムの制御方法に関する。
【０００２】
即ち、本発明は乾燥特性において、恒率乾燥と減率乾燥区域において、冷風乾燥は恒率乾燥に有利であり、減率乾燥ではデシカント乾燥が有利な状態であるが、基本的に冷風乾燥機とデシカント乾燥機が個別の装備となっている時には、同時に冷風乾燥機とデシカント乾燥機を運転することが効率の良いことに着眼したものであって、冷風乾燥とデシカント乾燥とを統合した構造で簡潔にし、デシカント乾燥は既存の製品でのように、別の再生熱源を投入することとは異なり、冷風乾燥の凝縮機の凝縮熱を利用し、箱式乾燥システム、回転型乾燥システム、自動移送型乾燥システムなど、多様な乾燥システムへの適用が可能なハイブリッド乾燥システム、及びハイブリッド乾燥システムの制御方法に関するものである。
【０００３】
また、本発明は、特に常温下で乾燥する最上の乾燥物を作ることに適合するので、全ての乾燥分野に亘って適用が可能であり、乾燥室の空気を適正な温度と湿度に維持させることができるように、冷風乾燥とデシカント乾燥を常時、同時併合運転して乾燥量を大きくするので、乾燥時間も大幅に短くなって、乾燥効率を増大させ、かつ運転費用を大幅低減させることができ、被乾燥物の品質を向上させることで、冷風乾燥とデシカント乾燥とを一体化したハイブリッド乾燥システム、及びハイブリッド乾燥システムの制御方法に関するものである。
【背景技術】
【０００４】
一般に、乾燥方式においては、熱風乾燥、冷風乾燥、凍結真空乾燥などがあり、被乾燥物によって乾燥方式が経済性及び経験により選ばれている。
【０００５】
そのうち、冷風乾燥は食品が有する味、香、品質、及び機能性の良い長所にも関わらず、高費用により使用が限定されており、冷風乾燥市場の規模が小さくて、技術投資や研究開発が足りないで、技術の発展をのろくする要因となっていた。冷風乾燥は自分なりの専門性を持って発展したが、デシカント乾燥はほとんど新しい開拓分野であって、適用においてデシカント乾燥の重要性が認知されていない分野への接続は大きな変化を試みるものであって、市場での要求が大きくなることと予想される。
【０００６】
被乾燥物の乾燥特性は初期の恒率乾燥と減率乾燥があり、既存の配列利用冷風乾燥機において、恒率乾燥区域では冷風乾燥機の冷却熱量は水分負荷を除去することに使われて、被乾燥物の水分蒸発に用いられる加熱負荷を凝縮機の凝縮熱に用いて、乾燥初期には蒸発器の入出口の絶対湿度に差が大きくて効率的に有利であるが、一定時間が経るにつれて乾燥特性により減率乾燥区域では冷風乾燥機の冷却熱量に比べて冷却負荷が大きく、乾燥される絶対湿度の差が少なくて、乾燥時間が長くなるにつれてエネルギー使用が効率的でない、かつ一定湿度以下の運転が不可能であった。
【０００７】
上記恒率乾燥は水面から水分が蒸発する状態とほぼ同一である。即ち、乾燥初期として乾燥速度が一定である。
【０００８】
上記減率乾燥は恒率乾燥が終わると、乾燥速度と水分蒸発量＊含水率が直線的（比例）に変化して少なくなる。この時を減率乾燥１段という。
【０００９】
次に、乾燥速度、含水率、水分蒸発量が曲線的に変化する。これを減率乾燥２段という。
【００１０】
これに対する先行登録特許として大韓民国特許登録１０−０６１４２８０号に“低露点冷却除湿システム及び冷却除湿方法”が開示されている。
【００１１】
上記先行特許である“低露点冷却除湿システム及び冷却除湿方法”は、圧縮機、凝縮機、膨脹バルブ、蒸発器、及び送風機を含み、空気が上記蒸発器を通過するようにする低露点冷却除湿装置に関するものであって、冷凍サイクルの途中に設けられた冷媒液管バルブと、上記蒸発器の前後に亘って設けられた圧力感知器と、上記外気凝縮機と並列に連結されており、蒸発器を通過した乾燥室の空気を通過させる再熱コイルと、上記再熱コイルの入口側に設けられたホットガスバルブと、上記凝縮機の入口側に設けられた凝縮機バルブと、圧縮機と蒸発器との間に設けられた低圧スイッチと、上記蒸発器に連結設置された蒸発器温度センサーを含んでいるので、上記蒸発器を通過した空気が上記再熱コイルを通過するようにした技術について開示されている。
【００１２】
しかしながら、上記先行技術は幾つの問題点があった。
【００１３】
即ち、露点温度５℃以下での冷風乾燥は、積霜のため、ほとんど運転が困難であり、低温運転に従う積霜列を冷却に利用しても、根本的に冷風乾燥で低い湿度を維持することは除湿負荷より冷却負荷が大きくなるので、乾燥負荷対比冷凍機の除湿効率が低下して運転費用が上昇する問題点がある。
【００１４】
また、冷風乾燥は乾燥過程において、恒率乾燥時、凝縮機の凝縮熱を１００％活用して有利であるが、減率乾燥時、被乾燥物の乾燥の進行がのろくなり、また冷却能力に比べて実際の乾燥量は格段に劣るので、被乾燥物の乾燥時間が遅れるにつれて運転費用が増加する問題点を有している。
【発明の概要】
【発明が解決しようとする課題】
【００１５】
本発明は、前述した従来技術の問題点を解消するために案出したものであって、ハイブリッド乾燥システムにして乾燥室の換気だけで循環させるようにし、冷風乾燥とデシカント乾燥とを併合して、乾燥室の被乾燥物に関わらず、常時同時運転し、また冷風乾燥の凝縮機の凝縮熱を再生熱源として用いてデシカント乾燥に供給することで、別の熱源供給無しで運転して、乾燥効率を大幅に増大させて、乾燥時間短縮による運転費用を低減、エネルギー使用を低減することができるようにし、被乾燥物のハイブリッド乾燥に従う天然（自然）乾燥のような状態に商品の価値を極大化したハイブリッド乾燥システム及びハイブリッド乾燥システムの制御方法を提供することをその目的とする。
【課題を解決するための手段】
【００１６】
上記の目的を達成するために、本発明に従うハイブリッド乾燥システムは、被乾燥物を常温乾燥方式により乾燥するための箱式システム、回転型システム、及び自動移送型システムに適用可能なハイブリッド乾燥システムであって、上記被乾燥物がある乾燥室と、蒸発器で吸入した冷媒を圧縮する圧縮機と、上記圧縮機で圧縮された冷媒の供給を受けて凝縮させる凝縮機と、上記凝縮機を通過した冷媒を膨脹させる膨脹弁と、上記膨脹弁を通過した冷媒と乾燥室で回収された換気を熱交換させて冷風乾燥する蒸発器と、上記蒸発器と凝縮機との間に設けられ、上記蒸発器を通過した冷風乾燥空気を乾燥空気に作るデシカント乾燥機吸着部と、上記凝縮機の凝縮熱により加熱した再生空気が再生熱源として供給される脱着部を有するデシカント乾燥機と、上記再生空気にして外気空気と再生排気を熱交換して排気熱を回収する熱交換機と、上記乾燥室の湿度及び温度によって、冷風乾燥とデシカント乾燥を同時に制御する制御部と、を含み、上記システムは、冷凍サイクル、乾燥サイクル、乾燥室循環サイクル、及び再生サイクルにより運転されることを特徴とする。
【００１７】
また、本発明に従うハイブリッド乾燥システムにおいて、上記乾燥室の空気を循環させる循環ファンと、上記被乾燥物に対して天然乾燥下で乾燥を促進、または被乾燥物の物理的特性及び化学的特性を向上させるように、上記乾燥室の内に設けられた太陽光照明灯を更に含むことを特徴とする。
【００１８】
また、本発明に従うハイブリッド乾燥システムにおいて、外気温度が低い場合には、外気入口温度が零上の温度になるように再生排気側に設けられたバイパスダンパを更に含むことを特徴とする。
【００１９】
また、本発明に従うハイブリッド乾燥システムにおいて、上記乾燥室の内部を冷蔵室に利用する時、上記冷凍サイクル及び再生サイクルが運転され、上記乾燥サイクルは停止し、上記乾燥室循環サイクルは風量調整運転により制御されることを特徴とする。
【００２０】
また、上記の目的を達成するために、本発明に従うハイブリッド乾燥システムの制御方法は、被乾燥物がある乾燥室、蒸発器で吸入した冷媒を圧縮する圧縮機、上記圧縮機で圧縮された高圧冷媒ガスの供給を受けて高圧冷媒液に凝縮させる凝縮機、上記凝縮機を通過した高圧冷媒液を膨脹させて低圧冷媒液に作る膨脹弁、上記膨脹弁を通過した低圧冷媒液が乾燥室で回収された換気を熱交換させて冷風乾燥する蒸発器、上記蒸発器と凝縮機との間に設けられ、上記蒸発器を通過した冷風乾燥空気を乾燥空気に作るデシカント乾燥機吸着部と上記凝縮機の凝縮熱により加熱された再生空気が再生熱源として供給される脱着部を有するデシカント乾燥機、上記乾燥室の温度及び湿度によって冷風乾燥とデシカント乾燥を同時併合運転制御する制御部を含み、上記被乾燥物を常温乾燥方式により乾燥するための箱式システム、回転型システム、自動移送型システムに適用されるハイブリッド乾燥システムを制御する方法であって、上記冷風乾燥とデシカント乾燥を条件によって選択運転して、上記乾燥室の内の湿っている空気を乾燥空気にして上記乾燥室に送り、上記乾燥空気と乾燥室内の換気が循環ファンにより循環されて温度と湿度が目標値に維持されるようにすることを特徴とする。
【発明の効果】
【００２１】
本発明のハイブリッド乾燥システム及びハイブリッド乾燥システムの制御方法によれば、冷風乾燥とデシカント乾燥を含んで一体化し、デシカント乾燥機の再生熱源として冷風乾燥の凝縮機の凝縮熱を１００％使用することで、ハイブリッド乾燥システムにして乾燥量を増大させながら冷風乾燥に困難な露点温度５℃以下でも同時併合乾燥により冷風乾燥とデシカント乾燥により乾燥することで、露点温度−１０℃までも容易に達成して、乾燥時間とエネルギーを５０％以上低減させながら、常温で乾燥されるので、乾燥状態は熱風乾燥とは異なり、天然（自然）乾燥のような状態に被乾燥物の商品価値が向上する特徴を有する効果がある。
【００２２】
また、本発明のハイブリッド乾燥システム及びハイブリッド乾燥システムの制御方法に従うハイブリッド乾燥では、平均的に冷凍機１ｋｗ（８６０ｋｃａｌ／ｈ）当たり２ｋｇ／ｈ以上を乾燥するので、従来の熱風乾燥が乾燥量１ｋｇ当り６００ｋｃａｌ／ｋｇを消耗することに比べて、２倍以上の効果を達成し、かつ常温乾燥に従う被乾燥物の品質、味、香を優れるに維持できるという効果も得られる。
【図面の簡単な説明】
【００２３】
【図１】本発明の第１実施形態に係るハイブリッド乾燥システムの構成を示す図である。
【図２】図１に図示された第１実施形態に対する制御流れ図である。
【図３】本発明の第２実施形態に係るハイブリッド乾燥システムの構成図である。
【図４】図３に図示された第２実施形態に対する制御流れ図である。
【図５】本発明の第３実施形態に係るハイブリッド乾燥システムの構成図である。
【図６】図５に図示された第３実施形態に対する制御流れ図である。
【発明を実施するための形態】
【００２４】
まず、本発明の適用分野について説明する。
【００２５】
本発明に係るハイブリッド乾燥システムにおいて、乾燥対象には、農産物には、唐辛子、ダイコン、タバコ、種子類などがあり、水産物には、スルメ、メンタイ、昆布、ワカメ、なまこ、海苔、魚介類加工食品などがあり、製薬分野では、錠剤薬品、蚊取線香などがあり、食品分野には、粉末調味料、インスタント食品、砂糖加工食品、製菓類乾燥及び電子部品類、皮革類、繊維類、合成樹脂、木材乾燥、スラッジ、国防分野（弾薬格納、製造）など、適用対象は広範囲で、その他にも熱風乾燥などの高温分野にまで新しい分野への導入が可能である。
【００２６】
以下、本発明の好ましい実施形態を添付した図面に基づいて詳細に説明すれば、次の通りである。
【００２７】
添付した図面で、実線は冷媒サイクルであり、点線は乾燥サイクルと乾燥室循環サイクルであり、一点鎖線は再生サイクルを示すものである。
【００２８】
図１は本発明の第１実施形態に係るハイブリッド乾燥システムの構成を示す図であり、図２は図１に図示された第１実施形態に対する制御流れ図である。
【００２９】
本発明に係るハイブリッド乾燥システムは、図１に示すように、被乾燥物がある乾燥室ＤＭ、蒸発器で吸入した冷媒を圧縮する圧縮機１０１、上記圧縮機で圧縮された冷媒の供給を受けて凝縮させる凝縮機１０２、受液器１０３、上記凝縮機１０２を通過した冷媒を膨脹させる膨脹弁１０５、上記膨脹弁１０５を通過した冷媒と乾燥室ＤＭで回収された換気を熱交換させて冷風乾燥する蒸発器１０６、空気フィルタ２０１、給気ファン２０２、上記乾燥室換気ＲＡと送風された乾燥空気ＳＡとを混合して乾燥室ＤＭの内の被乾燥物の乾燥のために循環させる循環ファン２０３、天然乾燥下で乾燥を促進または被乾燥物の物理的特性及び化学的特性を向上させるように上記乾燥室ＤＭに設けられた太陽光照明灯２０５を含む。
【００３０】
また、本発明に係るハイブリッド乾燥システムは、空気フィルタ３０１、上記再生空気にして外気空気と再生排気を熱交換して排気熱を回収する熱交換機３０２、上記蒸発器１０６と凝縮機１０２との間に設けられ、上記蒸発器１０６を通過した冷風乾燥空気を乾燥空気に作るデシカント乾燥機吸着部３０３１と上記凝縮機の凝縮熱により加熱された再生空気が再生熱源として供給される脱着部３０３２とを有するデシカント乾燥機３０３、上記デシカント乾燥機３０３を通過した再生空気を排気側に送風する排気ファン３０５及び上記乾燥室ＤＭの湿度及び温度によって冷風乾燥とデシカント乾燥を同時に制御する制御部（図示せず）を含む。
【００３１】
本発明に係るハイブリッド乾燥システムにおいては、冷凍サイクル、乾燥サイクル、乾燥室循環サイクル、及び再生サイクルの４つのサイクルを有していることと定義する。該４つのサイクルの経路について図１及び図２を参照して説明する。
【００３２】
上記冷凍サイクルの経路は、
蒸発器１０６で吸入した冷媒ガスを圧縮する圧縮機１０１、
上記圧縮機１０１で圧縮された冷媒の供給を受けて高温高圧の冷媒ガスを再生空気と熱交換して高圧冷媒ガスを冷媒高圧液に作る凝縮機１０２、
上記凝縮機１０２を通過した高圧冷媒液を低圧冷媒液に作る膨脹弁１０５、
上記膨脹弁１０５を通過した低圧冷媒液を乾燥室ＤＭで吸入された乾燥室換気ＲＡに熱交換させて冷風乾燥する蒸発器１０６からなる。
【００３３】
上記乾燥サイクルの経路は、
上記膨脹弁１０５を通過した冷媒液を乾燥室ＤＭで吸入した乾燥室換気ＲＡと熱交換させて冷風乾燥する蒸発器１０６、
上記蒸発器１０６を通過した冷風乾燥空気をデシカント乾燥機３０３で乾燥空気に作るデシカント乾燥機脱着部３０３１、
上記デシカント乾燥機３０３で作った乾燥空気を乾燥室ＤＭに送風する給気ファン２０２、
上記給気ファン２０２に送風した乾燥空気を乾燥室ＤＭの内に供給する給気ファンＳＡからなる。
【００３４】
上記再生サイクルの経路は、
空気フィルタ３０１を経由して上記外気空気ＯＡを導入して再生空気にし、再生空気と再生排気を熱交換して再生排気熱を回収する熱交換機３０２、
上記再生空気にして熱交換機３０２を通過した再生空気を凝縮機の凝縮熱に熱交換して再生空気を加熱させる凝縮機１０２、
上記凝縮機の凝縮熱により加熱された再生空気によりデシカント乾燥機３０３が再生されるデシカント乾燥機脱着部３０３２、
上記デシカント乾燥機３０３を通過した再生空気を排気側に送風する再生ファン３０５、
上記再生ファン３０５により送風される再生排気を熱交換して再生空気に熱回収する熱交換機３０２、
上記再生排気にして熱交換機を通過した排気ＥＡを排出する排出口からなる。
【００３５】
上記乾燥室循環サイクルにおいては、上記乾燥室換気ＲＡと送風された乾燥空気ＳＡとが混合して乾燥室ＤＭの内の被乾燥物の乾燥のために循環する循環ファン２０３を作動させ、制御部（図示せず）が上記乾燥室ＤＭの温度及び湿度によって冷風乾燥とデシカント乾燥を同時運転するように制御する。
【００３６】
図３は、本発明の第２実施形態に係るハイブリッド乾燥システムの構成を示す図であって、外気温度の低い零下の冬期において、外気入口温度が零上の温度になるように再生排気側に設けられたバイパスダンパを含んだものであり、図４は図３に図示された第２実施形態に対する制御流れ図である。また、以下の説明において、前述した図１及び図２の説明と重複する部分の説明は省略する。
【００３７】
上記ハイブリッド乾燥方法においては、図１及び図２に示すように同一に運転され、但し、外気温度の低い冬期には温度調節機により再生排気ＥＡの一部がバイパスダンパ３０６によりバイパスされて再生空気の外気入口温度を零上の温度に作ることを特徴とする。
【００３８】
上記乾燥室ＤＭに太陽光照明灯２０５または遠赤外線などを追加して被乾燥物が天然乾燥状態になるようにすることと、物的特性と化学的特性を向上させることを特徴とする。
【００３９】
図５は、本発明の第３実施形態に係るハイブリッド乾燥システムの構成を示す図であって、乾燥室ＤＭの内部を冷蔵室に利用するものであり、図６は、図５に図示された第３実施形態に対する制御流れ図である。また、以下の説明において、前述した図１及び図２の説明と重複する部分の説明は省略する。
【００４０】
乾燥室ＤＭの内部を冷蔵室に利用する時には、上記ハイブリッド乾燥システムにおける４つのサイクルのうち、冷凍サイクル及び再生サイクルが運転され、乾燥サイクルは停止し、乾燥室循環サイクルは風量調整運転により制御される。
【００４１】
このために、上記冷凍サイクルの経路は、
乾燥室換気ＲＡと熱交換する蒸発器１０６で吸入した冷媒ガスを圧縮する圧縮機１０１、
上記圧縮機１０１で圧縮された冷媒の供給を受けて高温高圧の冷媒ガスを再生空気と熱交換して高圧冷媒ガスを冷媒高圧液に作る凝縮機１０２、
上記凝縮機１０２を通過した高圧冷媒液を低圧冷媒液に作る膨脹弁１０５、
上記膨脹弁１０５を通過した低圧冷媒液を乾燥室ＤＭで吸入された乾燥室換気と熱交換させて冷風空気に作る蒸発器１０６からなる。
【００４２】
また、上記乾燥サイクルにおいては、デシカント乾燥機が停止するので、蒸発器１０６が上記膨脹弁１０５を通過した冷媒液を乾燥室ＤＭで吸入された換気空気ＲＡと熱交換させて冷風空気に作り、上記蒸発器１０６を通過した冷風空気はデシカント乾燥機３０３が停止したデシカント乾燥機では熱交換無しで通過され、給気ファン２０２が上記停止されたデシカント乾燥機３０３を通過した冷風空気を乾燥室ＤＭに送風し、上記給気ファン２０２に送風した冷風空気は給気ファンＳＡを通じて乾燥室ＤＭの内に供給される。
【００４３】
また、上記再生サイクルにおいては凝縮熱を排出する役割に変わり、その経路は、
空気フィルタ３０１を経由して上記外気空気ＯＡを導入して再生空気にし、再生空気と再生排気を熱交換して再生排気熱を回収する熱交換機３０２、
上記再生空気にして熱交換機３０２を通過した再生空気を凝縮機の凝縮熱と熱交換して再生空気を加熱させる凝縮機１０２、
上記凝縮機の凝縮熱により加熱された再生空気は、デシカント乾燥機３０３が停止するので、再生を行わないデシカント乾燥機脱着部３０３２、
上記停止されたデシカント乾燥機３０３を熱交換無しで通過した再生空気を排気側に送風する再生ファン３０５、
上記再生ファン３０５により送風されて再生排気を熱交換して再生空気に熱回収する熱交換機３０２、
上記再生排気にして熱交換機を通過した排気ＥＡを排出する排出口からなる。
【００４４】
上記乾燥室循環サイクルにおいては、風量調整運転することが有利であるので、上記乾燥室ＤＭの換気と給気された乾燥空気とが混合して乾燥室ＤＭの内の被乾燥物の乾燥のために循環する循環ファン２０３を風量調整して運転する。
【００４５】
また、制御部（図示せず）が上記乾燥室ＤＭの温度によって冷風空気を制御することによって、ハイブリッド乾燥システムにおける冷蔵運転が達成できる。
【００４６】
たとえ本発明が上記言及された好ましい実施形態と関連して説明されたが、発明の要旨と範囲から逸脱することなく、多様な修正及び変形が可能であることは当業者であれば容易に認識することができ、このような変更及び修正は全て添付した請求範囲に属することは自明である。
【符号の説明】
【００４７】
１０１…圧縮機、
１０２…凝縮機、
１０３…受液器、
１０５…膨脹弁、
１０６…蒸発器、
２０１、３０１…空気フィルタ、
２０２…給気ファン、
２０３…乾燥室循環ファン、
２０５…太陽光照明灯、
３０２…熱交換機、
３０３…デシカント乾燥機、
３０３１…デシカント乾燥機吸着部、
３０３２…デシカント乾燥機脱着部、
３０５…排気ファン、
ＤＭ…乾燥室、
ＳＡ…乾燥空気（冷風空気）、
ＲＡ…乾燥室空気（換気空気）、
ＯＡ…外気空気、
ＥＡ…排気空気。
【図１】
0005560501.tif 000002
【図２】
0005560501.tif 000003
【図３】
0005560501.tif 000004
【図４】
0005560501.tif 000005
【図５】
0005560501.tif 000006
【図６】
0005560501.tif 000007